(57)【要約】【課題】  表示部の表示濃度の均一化を図りつつ、部品点数・組立工数の低減を図ること。【解決手段】  本発明に係る照光モジュールは、表示部１１の背面に光源１３の照射光を導くための照光モジュール１２であって、表示部１１の背面に対向する開口部１５と、開口部１５の左右側端部より左右後側方に向かって湾曲する一対の湾曲前側面２０、２０と、開口部１５の開口を臨み中央部が開口部１５側に突出する湾曲後側面２１とを備えている。湾曲後側面２１は、湾曲前側面２０、２０の反射面を介して入射される光源１３の照射光を、開口部１５の開口面に直交する方向へ反射させる湾曲形状を呈している。【選択図】  図２
2005214790.tif 000002
【特許請求の範囲】
【請求項１】
表示部の背面に光源の照射光を導くための照光モジュールであって、
前記表示部の背面に対向する開口部と、
該開口部の左右側端部より左右後側方に向かって湾曲する一対の湾曲前側面と、
前記開口部の開口を臨み中央部が前記開口部側に突出する湾曲後側面とを備え、
前記湾曲後側面は、前記湾曲前側面の反射面を介して入射される前記光源の照射光を、前記開口部の開口面に直交する方向へ反射させる湾曲形状を呈することを特徴とする照光モジュール。
【請求項２】
前記湾曲前側面は、前記光源の照射光を前記開口面に水平な方向に反射する湾曲面により構成されることを特徴とする請求項１に記載の照光モジュール。
【発明の詳細な説明】
【技術分野】
【０００１】
本発明は、車両情報等表示する表示部の背面に、光源からの照射光を導光するための照光モジュールに関する。
【背景技術】
【０００２】
今日の車両には、図３に示すように、オドトリップ、オートマティックインジケータ、時刻等の情報を表示する表示部を備えた情報表示装置１が、運転席のメーター２等に設けられている。
【０００３】
情報表示装置１は、図４、図５に示すように、光源の照射光を導光するための照光モジュール３と、この照光モジュール３の前面に設置されて、照光モジュール３で導光された照射光を背面側で受けて情報の表示をおこなう透過型の液晶表示部（表示部）４とを備えている。照光モジュール３は、光を拡散する拡散板５と、この拡散板５の背後に設けられる光源６と、光源６が実装された基板７と、光源６からの光を拡散板５に反射する反射枠８とを有している。
【０００４】
拡散板５は、反射枠８に取り付けられており、さらに反射枠８は、光源６から照射された光が拡散板５に到達するための距離の差を、拡散板５での到達点に拘わらず極力小さくするために、拡散板５と基板７とのなす角度αが鋭角になるようにして基板７に固定されている。このように、光源６が実装された基板７に、反射枠８を介して拡散板５を固定することによって、拡散板５の各点における明るさの差が小さくなり液晶表示部４の表示濃度の均一化（表示面の輝度ムラの低減）を図ることが可能となっている。
【特許文献１】特開平５−１４２５３３号公報（第２図）
【発明の開示】
【発明が解決しようとする課題】
【０００５】
しかしながら、このようにして構成される照光モジュール３は、拡散板５等を設置する必要があるため、部品点数・組立工数の増加を招くという課題があった。
【０００６】
本発明は、上記課題に鑑みてなされたものであり、表示部の表示濃度の均一化を図りつつ、部品点数・組立工数の低減を図ることが可能な照光モジュールを提供することを課題とする。
【課題を解決するための手段】
【０００７】
上記課題を解決するために、本発明に係る照光モジュールは、表示部の背面に光源の照射光を導くための照光モジュールであって、前記表示部の背面に対向する開口部と、該開口部の左右側端部より左右後側方に向かって湾曲する一対の湾曲前側面と、前記開口部の開口を臨み中央部が前記開口側に突出する湾曲後側面とを備え、前記湾曲後側面が、前記湾曲前側面の反射面を介して入射される前記光源の照射光を、前記開口部の開口面に直交する方向へ反射させる湾曲形状を呈することを特徴とする。なお、ここでいう開口面に直行する方向とは、必ずしも厳格に開口面に対して９０度であることを意味するものではなく、前記湾曲前側面の反射面を介して入射される前記光源の照射光が、湾曲後側面で反射されて湾曲後側面の前方に位置する開口のほぼ正面方向に反射されるものであれば開口面に直行する方向に該当するものとする。
【発明の効果】
【０００８】
本発明に係る照光モジュールを用いることによって、従来の照光モジュールのように拡散板等の部品を用いる必要がないため、部品数の低減と組み付け負担の軽減を図ることが可能となる。また、表示部に光源の照射光が輝度ムラなく照射されるので、表示部における情報表示をムラなく表示させることが可能となる。
【発明を実施するための最良の形態】
【０００９】
以下、本発明に係る照光モジュールを備える情報表示装置を、図面を用いて説明する
図１は、情報表示装置１０を示した展開斜視図であり、情報表示装置１０は、液晶表示部１１と照光モジュール１２と、２つのＬＥＤ（光源）１３、１３とを備えている。
【００１０】
液晶表示部１１は、背面から照射された光を透過することによって、表示面１４に表示された情報を明示する透過型の表示装置であり、照光モジュール１２より導光されたＬＥＤ１３の照射光をバックライト光として利用する。
【００１１】
照光モジュール１２は、中空略箱状を呈しており、正面中央部に液晶表示部１１が設置される開口１５を備えている。照光モジュール１２の中空部分は、図２に示すように、底面１６及び天井面１７と、開口１５の両側縁部から左右後方に向かって所定の曲率Ｒを保ちつつ緩やかにカーブする一対の湾曲前側面２０、２０と、照光モジュール１２の背面側であって開口１５を望む位置に形成される湾曲後側面２１とで構成されている。
【００１２】
湾曲前側面２０、２０、湾曲後側面２１の各表面は反射面処理されている。
【００１３】
ＬＥＤ１３は、照光モジュール１２の左右側方背面であって湾曲前側面に対向する位置に配設設置される。
【００１４】
湾曲前側面２０は、ＬＥＤ１３からの光を、開口１５の開口面に対して水平光となるように反射する曲面で形成されており、本実施例においては、曲率Ｒ２６．８の曲率で構成されている。ＬＥＤ１３より発光された照射光うち、直接開口１５に到達する照射光（矢印Ｃ）以外のものは、湾曲前側面２０の反射面により水平光とされて中空部の中央方面に向けて反射される。
【００１５】
湾曲後側面２１は、中央が開口１５側に突出しており、頂点２５から端縁２１ａ、２１ａへ繋がる側面部は、頂点２５から端縁２１ａ方向に向かって凹状に湾曲するとともに、その傾斜角度が徐々に緩やかに変化する湾曲面で構成されている。頂点２５近傍の湾曲面の傾斜角度は、図２に示すように４５度となっている。
【００１６】
この湾曲後側面２１に湾曲前側面２０で反射された水平光が入射された場合、湾曲後側面２１は、入射された照射光を湾曲後側面２１の前方に位置する開口１５を通過するようにして反射する。例えば、図２に矢印Ｄに示すように、湾曲前側面２０で反射されたＬＥＤ１３の照射光が、湾曲後側面２１の頂部２５近傍に侵入する場合には、湾曲後側面２１の頂部２５近傍の湾曲面の傾斜角度が４５度となっているので、照射光は開口１５より開口１５面に垂直な方向に向かって反射される。また、湾曲前側面２０で反射されたＬＥＤ１３の照射光が湾曲後側面２１の頂部近傍２５以外の部分に侵入する場合には、反射光が開口１５を透過するように反射されるので、湾曲前側面２０において反射されるＬＥＤ１３の照射光は、ほぼ開口面に垂直に反射されることになる。
【００１７】
上述したような照光モジュール１２を用いて液晶表示部１１を裏面側より照明することによって、ＬＥＤ１３より照射された照射光のうち、開口１５側縁部近傍であって開口１５のうちＬＥＤ１３までの距離が短い部分については直接照射光が開口１５に達し、開口１５の中心部であってＬＥＤ１３からの距離が長い部分については、ＬＥＤ１３からの照射光が、湾曲前側面２０を介して湾曲後側面２１でほぼ開口面に垂直な方向に反射されて開口１５に到達するので、液晶表示部１１にＬＥＤ１３の照射光が輝度ムラなく照射され、液晶表示部１１における情報表示をムラなく表示させることが可能となる。
【００１８】
また、本発明に係る照光モジュール１２を用いることによって、従来の照光モジュール１２のように拡散板５等の部品を用いる必要がないため、部品数の低減と組み付け負担の軽減を図ることが可能となる。
【００１９】
以上、本発明に係る照光モジュールを、図面を用いて説明したが、本発明に係る照光モジュールは上記のものに限定されるものではない。例えば、光源としてＬＥＤ以外の光源を用いても良い。また、湾曲後側面の曲面形状は、湾曲前側面により反射された照射光が開口部を通して開口正面方向（開口面に直交する方向）に反射される形状であればどのような形状であっても良く、湾曲前側面の曲面形状に応じて曲面状態が決定される。
【図面の簡単な説明】
【００２０】
【図１】本発明に係る照光モジュールを備える情報表示装置を示した斜視図である。
【図２】図１に示したＢ−Ｂ断面を矢印方向から視た断面図である。
【図３】情報表示装置が設けられた車両用のメーターを示した正面図である。
【図４】従来の情報表示装置を示した斜視図である。
【図５】図４に示したＡ−Ａ断面を矢印方向から視た断面図である。
【符号の説明】
【００２１】
１、１０  情報表示装置
３、１２  照光モジュール
４、１１  液晶表示部
５  拡散板
６  光源
７  基板
８  反射枠
１３  ＬＥＤ（光源）
１５  開口（開口部）
２０  湾曲前側面
２１  湾曲後側面
２５  頂部
【図１】
2005214790.tif 000003
【図２】
2005214790.tif 000004
【図３】
2005214790.tif 000005
【図４】
2005214790.tif 000006
【図５】
2005214790.tif 000007